(57)【特許請求の範囲】
【請求項１】
ワイヤレスゲートウェイと通信端末との間の接続確立を可能にするために、前記通信端末が前記ワイヤレスゲートウェイの圏内にあるかどうかを判断することと、
前記通信端末が圏内にあると判断されると、前記ワイヤレスゲートウェイと前記通信端末との間に少なくとも１つの接続を確立することと、
を含む方法であって、
前記通信端末が圏内にあるかどうかを前記判断することは、前記通信端末または前記ワイヤレスゲートウェイのうちの少なくとも１つにより発信されたビーコン信号を検出することをさらに含み、ここで前記ビーコン信号の発信は、特定の閾値に基づいてトリガされる、方法。
【請求項２】
前記ワイヤレスゲートウェイは、前記判断することおよび前記確立することを実行する、請求項１に記載の方法。
【請求項３】
前記通信端末は、前記判断することおよび前記確立することを実行する、請求項１に記載の方法。
【請求項４】
前記通信端末は、機械型通信端末を有する、請求項１〜３に記載の方法。
【請求項５】
前記ビーコン信号は、ゲートウェイディスカバリを提供するものと前記通信端末および前記ワイヤレスゲートウェイにより認識される所定の信号を有する、請求項１に記載の方法。
【請求項６】
前記ビーコン信号は、データまたは制御情報のうちの少なくとも１つを搬送する、請求項１〜５に記載の方法。
【請求項７】
前記通信端末が圏内にあるかどうかを前記判断することは、前記通信端末または前記ワイヤレスゲートウェイの位置を表すジオポジショニング情報にアクセスすることをさらに含む、請求項１〜６に記載の方法。
【請求項８】
前記判断することまたは前記確立することのうちの少なくとも１つを実行するとき、前記ビーコン信号を発信することをさらに含む、請求項１〜７に記載の方法。
【請求項９】
前記判断することまたは前記確立することのうちの少なくとも１つを実行するようタイマによりトリガされると、前記ビーコン信号を発信することをさらに含む、請求項１〜８に記載の方法。
【請求項１０】
前記判断することは、
前記ワイヤレスゲートウェイが前記通信端末の圏内にあるかどうかを、セル識別子、無線周波数フィンガープリント、ワイヤレスローカルエリアネットワーク識別子、またはジオポジショニング情報のうちの少なくとも１つに基づき判断すること
をさらに含む、請求項１〜９に記載の方法。
【請求項１１】
前記少なくとも１つの接続は、利用可能なデータの送信のために前記少なくとも１つの接続が必要とされる前に、前記ワイヤレスゲートウェイによってプロアクティブに確立される、請求項１〜１０に記載の方法。
【請求項１２】
前記少なくとも１つの接続は、利用可能なデータの送信のために前記少なくとも１つの接続が必要とされると、リアクティブに確立される、請求項１〜１１に記載の方法。
【請求項１３】
前記ワイヤレスゲートウェイは、ユーザ機器またはモバイルユーザ機器のうちの少なくとも１つを有する、請求項１〜１２に記載の方法。
【請求項１４】
前記ワイヤレスゲートウェイは、別のネットワークに対するアクセス、インターネットに対するアクセス、前記ワイヤレスゲートウェイでのサービスに対するアクセス、またはリモートサーバでの別のサービスに対するアクセスのうちの少なくとも１つを提供する、請求項１〜１３に記載の方法。
【請求項１５】
前記ワイヤレスゲートウェイは、グループを形成するよう複数の通信端末を認証する、請求項１〜１４に記載の方法。
【請求項１６】
処理手段及び記憶手段を備える装置であって、前記記憶手段はプログラム命令を格納し、前記プログラム命令は、前記処理手段に実行されると、前記装置に、請求項１から１５の何れかに記載の方法を遂行させるように構成される、装置。
【請求項１７】
装置の処理手段に実行されると、前記装置に、請求項１から１５の何れかに記載の方法を遂行させるように構成されるプログラム命令を備える、コンピュータプログラム。
【請求項１８】
ワイヤレスゲートウェイと通信端末との間の接続確立を可能にするために、前記通信端末が前記ワイヤレスゲートウェイの圏内にあるかどうかを判断する手段と、
前記通信端末が圏内にあると判断されると、前記ワイヤレスゲートウェイと前記通信端末との間に少なくとも１つの接続を確立する手段と、
を有する装置であって、
前記通信端末が圏内にあるかどうかを前記判断することは、前記通信端末または前記ワイヤレスゲートウェイのうちの少なくとも１つにより発信されたビーコン信号を検出することをさらに含み、ここで前記ビーコン信号の発信は、特定の閾値に基づいてトリガされる、装置。
【発明の詳細な説明】
【技術分野】
【０００１】
本願明細書に記載される事項は、ワイヤレス通信に関する。
【背景】
【０００２】
機械対機械通信は、Ｍ２Ｍ通信または機械型通信（ＭＴＣ：ｍａｃｈｉｎｅ−ｔｙｐｅ  ｃｏｍｍｕｎｉｃａｔｉｏｎ）とも呼ばれ、利用が増大しつつあり、その人気はさらに増すと予想される。ＭＴＣの適用範囲には、スマートグリッド、ホームネットワーキング、コネクテッドヘルスケア、無人自動車を備えた車両ネットワーキングなどを含む、多様な用途がある。これに向けて、ＭＥＴＩＳは、大量機械通信（ＭＭＣ：ｍａｓｓｉｖｅ  ｍａｃｈｉｎｅ  ｃｏｍｍｕｎｉｃａｔｉｏｎ）の評価を行っており、５Ｇシステムおよびそれ以降などのセルラシステムの将来の一端としてＭＴＣを含めている。
【摘要】
【０００３】
いくつかの例示の実施形態では、端末ディスカバリのための方法が提供される。本方法は、ワイヤレスゲートウェイと通信端末との間の接続確立を可能にするために、通信端末がワイヤレスゲートウェイの圏内にあるかどうかを判断することと、通信端末が圏内にあると判断されると、ワイヤレスゲートウェイと通信端末との間に少なくとも１つの接続を確立することとを含んでもよい。
【０００４】
いくつかの変形では、以下の特徴を含む、本願明細書に開示された特徴のうちの１つ以上が、実現可能な任意の組み合わせに任意選択で含まれることが可能である。ワイヤレスゲートウェイは、判断することおよび確立することを実行してもよい。通信端末は、判断することおよび確立することを実行してもよい。通信端末は、機械型通信端末を備えてもよい。通信端末が圏内にあるかどうかを判断することは、通信端末またはワイヤレスゲートウェイのうちの少なくとも１つにより発信されたビーコン信号を検出することをさらに含んでもよい。ビーコン信号は、ゲートウェイディスカバリを提供するものと通信端末およびワイヤレスゲートウェイにより認識される所定の信号を備えてもよい。ビーコン信号は、データまたは制御情報のうちの少なくとも１つを搬送してもよい。通信端末が圏内にあるかどうかを判断することは、機械型通信端末またはワイヤレスゲートウェイの位置を表すジオポジショニング情報（ｇｅｏ−ｐｏｓｉｔｉｏｎｉｎｇ  ｉｎｆｏｒｍａｔｉｏｎ）にアクセスすることをさらに含んでもよい。判断することまたは確立することのうちの少なくとも１つを実行するとき、ビーコン信号が発信されてもよい。ビーコン信号は、判断することまたは確立することのうちの少なくとも１つを実行するようタイマによりトリガされると発信されてもよい。判断することは、ワイヤレスゲートウェイが通信端末の圏内にあるかどうかを、セル識別子、無線周波数フィンガープリント、ワイヤレスローカルエリアネットワーク識別子、またはジオポジショニング情報のうちの少なくとも１つに基づき判断することをさらに含んでもよい。少なくとも１つの接続は、利用可能なデータの送信のために少なくとも１つの接続が必要とされる前に、ワイヤレスゲートウェイによってプロアクティブに確立されてもよい。少なくとも１つの接続は、利用可能なデータの送信のために少なくとも１つの接続が必要とされると、リアクティブに確立されてもよい。ワイヤレスゲートウェイは、ユーザ機器またはモバイルユーザ機器のうちの少なくとも１つを備えてもよい。ワイヤレスゲートウェイは、別のネットワークに対するアクセス、インターネットに対するアクセス、ワイヤレスゲートウェイでのサービスに対するアクセス、またはリモートサーバでの別のサービスに対するアクセスのうちの少なくとも１つを提供してもよい。ワイヤレスゲートウェイは、グループを形成するよう複数の通信端末を認証してもよい。
【０００５】
上述の側面および特徴は、所望の構成に応じて、システム、装置、方法、および／またはコンピュータ可読媒体に実装され得る。本願明細書に記載される主題の１つ以上の変形の詳細が、添付の図面および以下の説明に記載される。本願明細書に記載される主題の特徴および利点は、本記載および図面、ならびに特許請求の範囲から明らかとなる。いくつかの例示的な実施形態には、下記の詳細な説明に記載されるような、および／または以下の特徴の中に記載されるような１つ以上の変化をも加えられ得る。
【図面の簡単な説明】
【０００６】
各図面には以下を示す。
【０００７】
【図１】いくつかの例示の実施形態による、機械対機械通信デバイスおよびゲートウェイを備えたシステムの例を示す。
【０００８】
【図２】いくつかの例示の実施形態による、ゲートウェイディスカバリのプロセスの例を示す。
【０００９】
【図３】いくつかの例示の実施形態による、ゲートウェイディスカバリのプロセスの別の例を示す。
【００１０】
【図４】いくつかの例示の実施形態による装置の例を示す。
【００１１】
図面中、同じまたは類似のアイテムを指すために同じ標示が使用される。
【詳細な説明】
【００１２】
本願明細書において開示される主題は、いくつかの例示の実施形態において、通信および／またはサービスへのアクセスのために機械型通信（ＭＴＣ）デバイスにより使用されるゲートウェイの利用可能性を検出する方途を提供し得る。
【００１３】
図１は、カメラ、ビデオカメラ、ゲーム用コンソール、センサ、アクチュエータ、ユーザ機器、および／またはその他任意のデバイス／機械／端末などの１つ以上のＭＴＣデバイス１０２Ａ〜Ｄを備える例示のシステム１００を示す。ＭＴＣデバイスは、モノのインターネット（ＩｏＴ：Ｉｎｔｅｒｎｅｔ  ｏｆ  Ｔｈｉｎｇｓ）の中で動作し得る。さらにＭＴＣデバイスは、いくつかの例示の実施形態において、ＭＴＣデバイス間の通信および／または単数または複数のゲートウェイとの通信を可能にするＭＴＣのワイヤレス回路構成に少なくとも関連して、限定的な処理能力、通信、および／またはメモリ機能を有してもよい。いくつかの例示の実施形態において、ＭＴＣデバイスはモバイルであってもよい（ただし固定ＭＴＣデバイスも実装され得る）。
【００１４】
ＭＴＣデバイス１０２Ａ〜Ｄは、ゲートウェイ１０５にワイヤレス結合してもよく、ＭＴＣデバイスとゲートウェイとの間の通信リンク（例えば接続）の一部は、専用または継続的でなくてもよい（例えばアドホック方式で、リアクティブに、またはプロアクティブに確立される通信接続）。さらにゲートウェイ（ＧＷ）１０５は、キャリアネットワーク、インターネット、および／またはその他任意の種類のネットワークなどの別のネットワーク１５０へのアクセスを提供する基地局１１０、ＷｉＦｉアクセスポイント、別の無線、および／または同様のものなどのアクセスポイント１１０にワイヤレス結合してもよい。別のネットワークは、クラウドサーバ１６０へのアクセスを提供してもよい。
【００１５】
例示として、１つ以上のＭＴＣデバイス１０２Ａ〜Ｄは、ホームネットワークまたは産業ネットワークフレームワークなどのネットワーク内のデバイスグループの一部であってもよい。ＭＴＣデバイス１０２Ａ〜Ｄは、例えばインターネットへの接続にアクセスするためおよび／またはゲートウェイでのサービスまたはクラウドサーバ１６０でのサービスなどのサービスにアクセスするために、ゲートウェイ１０５に接続してもよい。
【００１６】
ゲートウェイがモバイルである可能性、および／またはゲートウェイとＭＴＣデバイスとの間の無線接続が非継続的である可能性を考えると、データ転送が必要とされるときおよび／またはゲートウェイがＭＴＣデバイスの付近にあるときにいつでもゲートウェイとＭＴＣデバイスとの間の接続を確立／再確立するための信頼できる効率的な方途に対するニーズがあると考えられる。これは、データ転送、データ処理、および／またはサービス提供（ＭＴＣデバイス／端末からの入力データに基づき得る制御機能の実行を含む）のいずれかのためにＭＴＣデバイス／端末からデータ収集することを可能にしてもよい。
【００１７】
いくつかの例示の実施形態において、上述のとおり、通信および／またはサービスを提供するためにゲートウェイがＭＴＣデバイス（単数または複数）に利用可能であるかどうかを検出する方途が提供される。
【００１８】
いくつかの例示の実施形態において、ゲートウェイ１０５は、モバイルワイヤレスノードとして実装されてもよい。例えばゲートウェイ１０５は、携帯電話、タブレット、スマートフォン、ワイヤレスアクセスポイント、および／または同様のものなどのユーザ機器として実装されてもよい。さらにゲートウェイ１０５は、本願明細書に開示されるような専用ゲートウェイ機能性を備えてもよく、かつ／または本願明細書に開示されるゲートウェイ機能性を有するよう（例えばゲートウェイにダウンロードされまたはその他の形でインストールされるアプリケーションにより）構成されてもよい。
【００１９】
いくつかの例示の実施形態では、ゲートウェイ１０５は、１つ以上のＭＴＣデバイスを承認および認証してもよく、承認および認証は、ＭＴＣデバイスのグループ作成を含んでもよい（例えばＭＴＣデバイスが、ゲートウェイと通信すること、およびゲートウェイを介して通信することを可能にするため）。
【００２０】
いくつかの例示の実施形態では、上述のとおり、ワイヤレス通信接続が利用可能、実現可能、および／または必要なときにいつでも、アドホック方式で、ＭＴＣデバイスとゲートウェイとの間の接続が確立されてもよい。さらに、通信接続のディスカバリおよび／または接続確立は、プロアクティブ（例えばＭＴＣデバイスによるデータ送信の前にディスカバリおよび／または接続確立）、またはリアクティブ（例えばＭＴＣによる送信用のデータが到着したときにディスカバリおよび／または接続確立）のいずれかともされ得る。
【００２１】
ＭＴＣデバイスまたはゲートウェイ自体のモビリティが理由で、ゲートウェイ１０５がＭＴＣデバイスのカバレッジエリア外にある場合、接続確立は、ゲートウェイ１０５がＭＴＣデバイスのカバレッジエリア内／中にくるまで不可能かもしれない。移動中／可動のモバイルＭＴＣデバイスの場合、ワイヤレス接続の利用可能性は、ＭＴＣデバイスおよび対応するゲートウェイの位置に依存し得る。
【００２２】
いくつかの例示の実施形態では、ゲートウェイ１０５は、結合されたＭＴＣデバイスに他のネットワークへのデータ接続を提供してもよく、クラウドサービス１６０などのリモートサービスへのアクセスを提供してもよい。さらにゲートウェイ１０５は、結合されたＭＴＣデバイスに、データ収集、制御機能、および同様のものを含むローカルサービスを提供してもよい。例えばローカルサービスは、温度などのセンサデータをＭＴＣデバイスから収集してもよい。ゲートウェイは、その場合、制御機能として、ヒータ、換気、および／または同様のものの制御などを実行してもよい。ローカル収集されたデータの場合、ゲートウェイは、ローカル収集されたデータをクラウドサーバ１６０に、例えば広域および／またはセルラ接続などの別のワイヤレス接続を介して転送（ローカル収集されたデータの事前処理を含むこともある）してもよい。ゲートウェイは、関連情報をエンドユーザに示すこと、特定の情報がアクション（例えば警報）を要するかどうかを確認すること、可能な制御動作によりデータを分析すること、および／または同様のことを含む他の機能をも備えてもよい。
【００２３】
いくつかの例示の実施形態では、ゲートウェイ１０５は、１つ以上のＭＴＣデバイスが、ゲートウェイに近接しているかどうか、および少なくとも１つのワイヤレス接続を確立するのに十分近いかどうかを感知してもよい。ゲートウェイによる感知は、多様な方途で実行され得る。例えばＭＴＣデバイスは、ゲートウェイにより検出されるビーコンなどの信号を発信してもよい。あるいはまたはさらに、ゲートウェイは、ＭＴＣデバイスにより検出可能なビーコンなどの信号を発信してもよく、その場合、ＭＴＣデバイスが（例えばゲートウェイにより受信可能な別のビーコン、信号、メッセージ、制御信号、および／または同様のものを用いて）ゲートウェイに応答する。いくつかの例示の実施形態においてゲートウェイは、その位置がＭＴＣデバイスの位置するエリア内にあると認識してもよい。この認識は、ジオポジショニング情報、セル識別子、無線周波数フィンガープリント（特定の位置に対応し得る）、ワイヤレスローカルエリアネットワーク識別子、および／または同様のものに基づき実行され得る。ビーコンの場合、ゲートウェイまたはＭＴＣデバイスは、ビーコン送信を、周期的、継続的に開始してもよく、対応する利用可能なデバイスの通信リンク確立の可能性を感知した後に開始してもよく、これはプロアクティブおよび／またはリアクティブとされ得る。
【００２４】
以下は、ＭＴＣデバイスにより使用される通信およびサービスのためのゲートウェイの利用可能性を検出することに関して、いくつかの例示の実施形態を提供する。
【００２５】
いくつかの例示の実施形態において、ゲートウェイ１０５は、ＭＴＣデバイスがゲートウェイに近接していることが既知であるとき、またはゲートウェイに近接していることが感知されたときに、位置に基づきビーコン信号の送信を開始してもよい。あるいはまたはさらに、いくつかの例示の実施形態によれば、ゲートウェイは、時間情報（例えばＭＴＣ接続の利用可能性の確認をトリガするタイマ）に基づきビーコン信号の送信を開始してもよい。いくつかの例示の実施形態では、検出プロセスの一環としてゲートウェイおよび／またはＭＴＣデバイスにより送信されるビーコン信号は、ゲートウェイの存在およびＭＴＣデバイス間のワイヤレス接続（単数または複数）の利用可能性の検出／ディスカバリのみのためにアクティブ化されてもよい。さらにビーコン信号は、ゲートウェイの利用可能性の検出またはディスカバリのために使用される信号としてＭＴＣデバイスおよびゲートウェイにより既知の所定の信号であってもよい（ただし、ビーコン信号は制御シグナリングを含む他の情報をも搬送し得る）。さらにデータ送信は、ワイヤレス接続が利用可能な任意のときに、必要に応じて行われてもよい（ゲートウェイディスカバリとは独立していてもよい）。
【００２６】
いくつかの例示の実施形態において、ゲートウェイ１０５は、ＭＴＣに送信されるべきデータが到着してワイヤレス接続の確立が必要なときにディスカバリ機能を開始してもよい。いくつかの例示の実施形態において、ゲートウェイでのビーコン送信はデータの到着によりトリガされる。ディスカバリは、データの到着を受けて（またはそれに応答して）１つ以上のＭＴＣデバイスへの通信を確立するリアクティブ方法によってもよいが、通信確立はプロアクティブ（例えば通信確立がデータ到着より前に実行される）であってもよい。
【００２７】
図２は、いくつかの例示の実施形態による、プロアクティブディスカバリの例示のプロセス２００を示す。プロアクティブディスカバリプロセスとは、送信されるべきデータの到着により接続（単数または複数）が必要とされる前にＭＴＣおよびゲートウェイの接続（単数または複数）を確立することをいう。図２の記載は図１も参照する。
【００２８】
いくつかの例示の実施形態によれば、２０２にてゲートウェイは、ＭＴＣデバイスに送信されるべきデータがあるか否かに関係なく、位置がＭＴＣデバイスに近いと感知してもよい。例えばゲートウェイ１０５は、ＭＴＣデバイス（単数または複数）に送信（またはそれから受信）すべきデータが到着したことでデータ接続性が差し迫って必要となってはいなくても、ゲートウェイがＭＴＣデバイス１０２Ａ〜Ｂの付近にあることを感知し、プロセス２００を続行してもよい。ゲートウェイによる感知は、上述のとおり多様な方途で実行され得る。
【００２９】
いくつかの例示の実施形態によれば、ゲートウェイが位置を感知すると、ゲートウェイは２０７にて、１つ以上のＭＴＣデバイスに近接しているゲートウェイの存在を「アドバタイズ」するためにビーコン信号を送信してもよい。例えばゲートウェイ１０５は、２０７にて、ゲートウェイの位置に基づき、１つ以上のＭＴＣデバイス（またはＭＴＣデバイスのグループ）がある可能性があると感知し、結果として、ＷｉＦｉビーコンおよび／またはその他任意の種類のビーコンなどのビーコンを送信してもよい。ビーコンは、ゲートウェイの識別情報を備えてもよく、それによりＭＴＣデバイスが応答することができる。ビーコンはさらに、ビーコン信号が本願明細書に開示されたゲートウェイディスカバリプロセスに関連することをＭＴＣデバイスが認識するように、所定のものであってもよい。
【００３０】
一方、いくつかの例示の実施形態によれば、ＭＴＣデバイスは２０９にて、ビーコンをスキャンしてもよい。ＭＴＣデバイスによるスキャンは、継続的、周期的でもよく、かつ／または非周期的にも実行されてもよく、非周期性は、相対時間または絶対時間（例えば一日のうちの時間）に基づいてもよい。さらに、ＭＴＣデバイスによるスキャンは、送信される必要のあるデータ、測定量の所定閾値の超過時（例えばアラームをトリガする）、および／または同様のものなどのイベントによりトリガされてもよい。例えばＭＴＣデバイス１０２Ａは、ゲートウェイ１０５により送信されるビーコンを、ビーコンを求めて１つ以上の周波数をリッスンすることによりスキャンしてもよい。
【００３１】
いくつかの例示の実施形態によれば、ビーコンが２０９にて検出されると、次にＭＴＣデバイスは、２１２にて、ゲートウェイとの接続確立段階（例えばハンドシェイクおよび／または同様のもの）を開始することにより接続を確立することを選択してもよい。接続確立はさらに、特定のグループのＭＴＣ端末／デバイスへの接続のみを許可するために認証手順を含んでもよい。接続がプロアクティブに確立されると、ＭＴＣデバイスは２１６にて、ゲートウェイにデータが送信される必要性があるときあるいはＭＴＣデバイスがゲートウェイまたはクラウドサーバでのサービスへのアクセスを要するときにいつでもデータをゲートウェイに送信してもよい。
【００３２】
いくつかの例示の実施形態において、２０７でのゲートウェイのビーコンは、ゲートウェイからＭＴＣデバイスへのダウンリンクデータを許容してもよい。さらにビーコン信号は、既述のとおり、ＭＴＣデバイスに向けて制御シグナリングを提供するために使用されてもよい。さらにゲートウェイは、いくつかの例示の実施形態において、任意の利用可能なデータを送信するようＭＴＣデバイスをポーリングしてもよい。例えばビーコン信号は、ゲートウェイにデータを送信するようＭＴＣデバイスそれぞれをポーリングするために使用されてもよい。さらに、上述のとおり、ＭＴＣデバイス１０２Ａ〜Ｄはグループ化されてもよいが、ＭＴＣデバイス１２０Ａ〜Ｄは、ゲートウェイ１０５と個別にも相互作用し得る。上述のとおり、いくつかの例示の実施形態においてゲートウェイは、２０７にて、ビーコン信号の送信を時間情報に基づき開始してもよい。
【００３３】
前述の例は、ゲートウェイにより開始されるビーコン送信について記載するが、ＭＴＣデバイスもゲートウェイにおけるビーコン送信をトリガし得る。例えばＭＴＣデバイスは、ビーコン送信を開始してもよく、送信は、ＭＴＣデバイスでのタイマおよび／またはイベントによりトリガされてよい。イベントの例としては、アラーム信号、特定の閾値を超過する／下回る測定値、および／または同様のものが挙げられる。
【００３４】
図３は、いくつかの例示の実施形態による、リアクティブディスカバリの例示のプロセス３００を示す。リアクティブディスカバリプロセスとは、例えばゲートウェイに到着する（または送信される必要がある）データに応答してＭＴＣおよびゲートウェイの接続（単数または複数）を確立することをいう。ビーコン送信は、データの到着（または送信の必要性）によりトリガされてもよい。さらに、ゲートウェイがビーコンを送信してもよく、ビーコンは、１つ以上のＭＴＣデバイス（単数または複数）に対する制御情報および／またはダウンリンクデータを搬送してもよいが、ＭＴＣデバイスもビーコンを送信してもよい（これも同様に制御および／またはアップリンクデータを搬送してもよい）。さらにビーコンは、ゲートウェイおよびＭＴＣデバイスにより認識される所定の信号であってもよい。さらにゲートウェイディスカバリは、特に、位置情報を利用してもよい。さらに、ビーコン送信／データ転送の開始は、ゲートウェイの位置またはＭＴＣデバイス（単数または複数）の位置に依存してもよい。図３の記載は図１も参照する。
【００３５】
いくつかの例示の実施形態によれば、３１０にて送信されるべきデータが到着する（またはＭＴＣデバイスからゲートウェイに送信される必要がある）と、３１２にて、ＭＴＣデバイスとゲートウェイとの間の接続の利用可能性／実現性についての確認がリアクティブに実行される。接続が確立されていれば（３１２ではい）、ＭＴＣデバイスは３１４にてその接続を介してデータをゲートウェイに送信してもよい。
【００３６】
一方、接続が確立されていなければ（３１２でいいえ）、３１６にて、ＭＴＣデバイスと利用可能なゲートウェイとの間の接続を確立できるかどうかを判断するための判定が実行される。ＭＴＣからゲートウェイへの接続を確立できるかどうかを判断するには、ゲートウェイの位置、ＭＴＣの位置、時間、および／または上述の感知されたパラメータを含む他の関連パラメータを含め、１つ以上の要因が考慮されてもよい。
【００３７】
ＭＴＣデバイスと利用可能なゲートウェイとの間の接続を確立できると判断されれば（３１６ではい、次いで３１８）、プロセス２００に関して上述した動作１つ以上を使用して、ＭＴＣデバイスとゲートウェイとの間の接続を確立することができる。ＭＴＣデバイスとゲートウェイとの間の接続を確立できないと判断されれば（３１６でいいえ、次いで３２０）、ＭＴＣデバイスおよび／またはゲートウェイは条件が変化するまで待機してもよい。
【００３８】
プロセス３００をさらに例示するために、ゲートウェイが３１０にて、ＭＴＣデバイス（単数または複数）のうちの１つ以上に送信されるべきデータを有してもよい。この場合には、ゲートウェイは３１２にて、ＭＴＣデバイス（単数または複数）への利用可能なワイヤレス接続を確認してもよい。接続が利用可能でなければ、ゲートウェイは、ＭＴＣデバイス（単数または複数）への接続（単数または複数）が可能かどうかを、位置、時間、および／または他の関連パラメータに基づき判断してもよい。可能であれば、３１８にて接続が確立され、可能でなければ、３２０にてゲートウェイは待機する。
【００３９】
ＭＴＣデバイスの場合、データがＭＴＣデバイスに到着し、そのデータがゲートウェイに、またはゲートウェイを介して送信される必要がある場合、ＭＴＣデバイスが３１２にて、ゲートウェイへの利用可能なワイヤレス接続を確認してもよい。接続が利用可能でなければ、ＭＴＣデバイスは、ゲートウェイへの接続（単数または複数）がそもそも可能であるのかどうかを、位置、時間、および／または他の関連パラメータに基づき判断してもよい。可能であれば、３１８にて接続が確立され、可能でなければ、３２０にてＭＴＣは待機する。
【００４０】
データの送信が成功した場合、接続は一定期間利用可能であってもよく、その後は、新たなデータが到着するたびにリアクティブプロセスが開始されてもよい。例えば、接続の利用可能性を維持する期間は、サービス、接続の種類（例えばトラフィック／シグナリング）、端末の種類、ゲートウェイの命令（例えば別個の制御シグナリング）、または同様のものに依存することができる。期間は、０秒またはその他０秒を超える任意の値とすることができる。
【００４１】
いくつかの例示の実施形態では、ＭＴＣデバイスおよび／またはゲートウェイは、その位置を判断して、ディスカバリビーコン送信をアクティブ化するかまたは接続を確立するかを決定する必要があるかもしれない。この場合には、位置検出は、全地球衛星航法システム測位（例えばＧＰＳチップセットにより利用可能にされる全地球測位システム（ＧＰＳ：ｇｌｏｂａｌ  ｐｏｓｉｔｉｏｎｉｎｇ  ｓｙｓｔｅｍ）測位点（ｆｉｘｅｓ））に基づくことができる。
【００４２】
あるいはまたはさらに、位置は、セルアイデンティティに基づき判断されてもよい。分解能がセルレベルであっても、これで十分な場合もあり（例えばホーム基地局またはその他スモールセル基地局／エボルブドノードＢ基地局（ｅＮＢ）に関して）、ホーム基地局のカバレッジは、ゲートウェイおよびＭＴＣデバイスのローカルエリア接続の無線カバレッジと同等である場合もある。
【００４３】
あるいはまたはさらに、位置検出は、受信されるセルに基づいてもよい。例えば、位置を識別するために無線周波数（ＲＦ：ｒａｄｉｏ  ｆｒｅｑｕｅｎｃｙ）フィンガープリントが使用されてもよい。例えばＲＦフィンガープリントは、特定のセル、その相対信号レベルまたは絶対信号レベル、ひいては位置を識別してもよい。さらに、位置判断は一連のセル変更に基づくこともできる。例えば、デバイスが職場から家までなど所定の経路を進むとき、目的地を含む経路に沿った一連のセルが予測されてもよい。したがって、位置（例えばこの例では特定の位置への到着）は、このようにセルＩＤ、時間、またはセル内／間の移動に関係する他のパラメータに基づき判断されてもよい。
【００４４】
あるいはまたはさらに、位置は、ワイヤレスローカルエリアネットワーク特有の識別情報（ＳＳＩＤ）またはＢｌｕｅｔｏｏｔｈ（登録商標）Ｌｏｗ  Ｅｎｅｒｇｙ（ＢＴ−ＬＥ）ビーコンなどの他のローカルエリア信号の受信に基づき判断されてもよい。ビーコンが始まっておらず、開始が位置トリガに基づくと想定すると、このローカルエリア信号は、ゲートウェイとセンサ／ＭＴＣとの間で使用されるワイヤレス接続とは異なってもよい。
【００４５】
あるいはまたはさらに、アプリケーションをトリガするためまたはサービスを起動するためにＭＴＣデバイスについての関連情報を収集するべく、ゲートウェイが所定のデータベースまたはサービスと交信するのに基づいて、位置が判断されてもよい。例えばユーザは、ショッピングモールに入ってもよく、そこでアプリケーションが起動されて、アプリケーションがサーバと交信し、ローカルＭＴＣデバイスについての関連情報を得る。存在すれば、ＭＴＣデバイスに対する同期を開始可能である。
【００４６】
あるいはまたはさらに、位置判断はユーザ入力に基づいてもよい。例えばユーザは、既知の位置に入るとき、ビーコン（またはゲートウェイ／ＭＴＣデバイスが使用されるサービス）をアクティブ化する指示を入力してもよい。この例では、第三者がトリガしてもよく、この場合、何らかの外部機能がビーコンをトリガする。例として、ボートが港に接近しつつあれば、港にきたときに交信が行われるＭＴＣデバイスのネットワークが手動で起動されてもよい。
【００４７】
図４は、いくつかの例示の実施形態による装置４００の例を示す。装置４００は、ＭＴＣデバイスまたはゲートウェイを提供することができるユーザ機器を有してもよい。ユーザ機器は、スマートフォン、携帯電話、モノのインターネットセンサ／アクチュエータ、ウェアラブル無線デバイス、カメラ、ビデオカメラ、ゲーム用コンソール、および／またはその他任意の無線ベースのデバイスとして実装されてもよい。さらにＭＴＣデバイスは、いくつかの例示の実施形態において、ＭＴＣデバイス間の通信および／または単数または複数のゲートウェイとの通信を可能にするワイヤレス回路構成に少なくとも関連して、限定的な処理、電源、通信、および／または記憶能力を有してもよい。例えばカメラは、データを収集して（イメージデータの記憶および／または処理が可能な）サービスに送信するＭＴＣセンサを備えてもよい。この例では、カメラのワイヤレス回路構成は、例えばスマートフォンまたはタブレットと比べて、限定的な処理、電源、通信、および／または記憶能力を有するよう構成されてもよい。
【００４８】
いくつかの例示の実施形態では、装置４００はさらに、セルラネットワークまたは他のワイヤレスネットワークへの無線通信リンクをも備えてもよい。装置４００は、送信機１４および受信機１６と通信する少なくとも１つのアンテナ１２を備えてもよい。あるいは、送信アンテナおよび受信アンテナは別々であってもよい。
【００４９】
装置４００はさらに、送信機および受信機それぞれと信号を提供し合い装置の機能を制御するよう構成された、プロセッサ２０を備えてもよい。プロセッサ２０は、導線を介して送信機および受信機に制御シグナリングをもたらすことによって送信機および受信機の機能を制御するよう構成されてもよい。同じくプロセッサ２０は、プロセッサ２０をディスプレイまたはメモリなどの他の構成要素に接続する導線を介して制御シグナリングをもたらすことによって、装置４００の他の構成要素を制御するよう構成されてもよい。プロセッサ２０は例えば、回路構成、少なくとも１つの処理コア、付随するデジタル信号プロセッサ（単数または複数）を備える１つ以上のマイクロプロセッサ、付随するデジタル信号プロセッサのない１つ以上のプロセッサ（単数または複数）、１つ以上のコプロセッサ、１つ以上のマルチコアプロセッサ、１つ以上のコントローラ、処理回路構成、１つ以上のコンピュータ、集積回路（例えば特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）、および／または同様のもの）を備える他の様々な処理要素、またはその何らかの組み合わせを含む、多様な形で具現化され得る。装置４００は、位置プロセッサ、および／または測位および／またはナビゲーション情報などの位置情報を取得するためのインターフェースを備えてもよい。したがって、プロセッサ２０は、単一のプロセッサとして示されているが、いくつかの例示の実施形態では複数のプロセッサまたは処理コアを有してもよい。
【００５０】
プロセッサ２０によって送信および受信される信号は、該当するセルラシステムのエアインターフェース標準、および／または任意数の異なる有線または無線ネットワーキング技術に従ったシグナリング情報を含んでもよい。無線ネットワーキング技術は、Ｗｉ−Ｆｉ、米国電気電子学会（ＩＥＥＥ：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１、８０２．１６、および／または同様のものなどのワイヤレスローカルアクセスネットワーク（ＷＬＡＮ：ｗｉｒｅｌｅｓｓ  ｌｏｃａｌ  ａｃｃｅｓｓ  ｎｅｔｗｏｒｋ）技術を含むが、これらに限定はされない。さらに、これらの信号は、音声データ、ユーザが生成したデータ、ユーザがリクエストしたデータ、および／または同様のものを含んでもよい。
【００５１】
装置４００は、１つ以上のエアインターフェース標準、通信プロトコル、変調形式、アクセス型、および／または同様のものを用いて動作できてもよい。例えば、装置４００および／またはその中のセルラモデムは、様々な第１世代（１Ｇ：ｆｉｒｓｔ  ｇｅｎｅｒａｔｉｏｎ）通信プロトコル、第２世代（２Ｇ（ｓｅｃｏｎｄ  ｇｅｎｅｒａｔｉｏｎ）または２．５Ｇ）通信プロトコル、第３世代（３Ｇ：ｔｈｉｒｄ−ｇｅｎｅｒａｔｉｏｎ）通信プロトコル、第４世代（４Ｇ：ｆｏｕｒｔｈ−ｇｅｎｅｒａｔｉｏｎ）通信プロトコル、インターネットプロトコルマルチメディアサブシステム（ＩＭＳ：Ｉｎｔｅｒｎｅｔ  Ｐｒｏｔｏｃｏｌ  Ｍｕｌｔｉｍｅｄｉａ  Ｓｕｂｓｙｓｔｅｍ）通信プロトコル（例えばセッション開始プロトコル（ＳＩＰ：ｓｅｓｓｉｏｎ  ｉｎｉｔｉａｔｉｏｎ  ｐｒｏｔｏｃｏｌ））、および／または同様のものに従って動作できてもよい。例えば装置４００は、２Ｇワイヤレス通信プロトコルのＩＳ−１３６、時分割多元接続ＴＤＭＡ（Ｔｉｍｅ  Ｄｉｖｉｓｉｏｎ  Ｍｕｌｔｉｐｌｅ  Ａｃｃｅｓｓ）、グローバルシステムフォーモバイルコミュニケーションズ、すなわちＧＳＭ（登録商標）、ＩＳ−９５、符号分割多元接続、すなわちＣＤＭＡ（Ｃｏｄｅ  Ｄｉｖｉｓｉｏｎ  Ｍｕｌｔｉｐｌｅ  Ａｃｃｅｓｓ）、および／または同様のものに従って動作できてもよい。さらに、例えば装置４００は、２．５Ｇワイヤレス通信プロトコルの汎用パケット無線サービス（ＧＰＲＳ：Ｇｅｎｅｒａｌ  Ｐａｃｋｅｔ  Ｒａｄｉｏ  Ｓｅｒｖｉｃｅ）、拡張データＧＳＭ環境（ＥＤＧＥ：Ｅｎｈａｎｃｅｄ  Ｄａｔａ  ＧＳＭ  Ｅｎｖｉｒｏｎｍｅｎｔ）、および／または同様のものに従って動作できてもよい。さらに、例えば装置４００は、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、符号分割多元接続２０００（ＣＤＭＡ２０００）、ＷＣＤＭＡ（登録商標）、時分割同期符号分割多元接続（ＴＤ−ＳＣＤＭＡ：Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、および／または同様のものなどの３Ｇワイヤレス通信プロトコルに従って動作できてもよい。装置４００はさらに、ロングタームエボリューション（ＬＴＥ：Ｌｏｎｇ  Ｔｅｒｍ  Ｅｖｏｌｕｔｉｏｎ）、進化型ユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、および／または同様のものなどの３．９Ｇワイヤレス通信プロトコルに従って動作できてもよい。さらに、例えば装置４００は、ＬＴＥアドバンストおよび／または同様のものなどの４Ｇワイヤレス通信プロトコル、ならびに後に開発され得る同様のワイヤレス通信プロトコルに従って動作できてもよい。
【００５２】
当然のことながら、プロセッサ２０は、装置４００のオーディオ／ビデオおよび論理機能を実装する回路構成を備えてもよい。例えばプロセッサ２０は、デジタル信号プロセッサデバイス、マイクロプロセッサデバイス、アナログ−デジタル変換器、デジタル−アナログ変換器、および／または同様のものを有してもよい。装置４００の制御および信号処理機能は、デバイスのそれぞれの能力に従ってこれらのデバイス間に割り当てられてもよい。プロセッサ２０はさらに、内蔵音声符号器（ＶＣ：ｖｏｉｃｅ  ｃｏｄｅｒ）２０ａ、内蔵データモデム（ＤＭ：ｄａｔａ  ｍｏｄｅｍ）２０ｂ、および／または同様のものを有してもよい。さらにプロセッサ２０は、メモリに記憶され得る１つ以上のソフトウェアプログラムを動作させる機能性を備えてもよい。一般に、プロセッサ２０および記憶されたソフトウェア命令は、装置４００にアクションを実行させるよう構成されてもよい。例えばプロセッサ２０は、ウェブブラウザなどの接続性プログラムを動作させることができてもよい。接続性プログラムは、装置４００が、ロケーションベースのコンテンツなどのウェブコンテンツを、ワイヤレスアプリケーションプロトコル、ワイヤレスアクセスポイント、ハイパーテキスト転送プロトコル、すなわちＨＴＴＰ（ｈｙｐｅｒｔｅｘｔ  ｔｒａｎｓｆｅｒ  ｐｒｏｔｏｃｏｌ）、および／または同様のものなどのプロトコルに従って送受信できるようにしてもよい。
【００５３】
装置４００はさらに、例えばイヤホンまたはスピーカ２４、リンガ２２、マイクロフォン２６、ディスプレイ２８、ユーザ入力インターフェース、および／または同様のものなどを含むユーザインターフェースを有してもよく、これは、プロセッサ２０に動作結合されてもよい。上述のとおり、ディスプレイ２８は、タッチセンシティブディスプレイを備えてもよく、ユーザは、タッチおよび／またはジェスチャをして選択、値の入力、および／または同様のことを行ってもよい。プロセッサ２０はさらに、スピーカ２４、リンガ２２、マイクロフォン２６、ディスプレイ２８、および／または同様のものなどのユーザインターフェースの構成要素１つ以上の少なくともいくつかの機能を制御するよう構成された、ユーザインターフェース回路構成を備えてもよい。プロセッサ２０および／またはプロセッサ２０を有するユーザインターフェース回路構成は、例えば揮発性メモリ４０、不揮発性メモリ４２、および／または同様のものなどのプロセッサ２０がアクセスできるメモリ上に記憶された、例えばソフトウェアおよび／またはファームウェアなどのコンピュータプログラム命令によって、ユーザインターフェースの１つ以上の構成要素の１つ以上の機能を制御するよう構成されてもよい。装置４００は例えば、検出可能な出力として機械的振動をもたらす回路など、モバイル端末に関係する様々な回路に電力を供給する電池を備えてもよい。ユーザ入力インターフェースは、キーパッド３０（ディスプレイ２８上に提示される仮想キーボードまたは外部結合されたキーボードとすることができる）および／またはその他入力デバイスなど、装置４００がデータを受信できるようにするデバイスを有してもよい。
【００５４】
さらに装置４００は、短距離無線周波数（ＲＦ）送受信機および／またはインテロゲータ６４を備えてもよく、したがって、データは、ＲＦ技術に従って、電子デバイスと共有されても、かつ／または電子デバイスから取得されてもよい。装置４００は、赤外線（ＩＲ：ｉｎｆｒａｒｅｄ）送受信機６６、Ｂｌｕｅｔｏｏｔｈ（登録商標）ワイヤレス技術を使用して動作するＢｌｕｅｔｏｏｔｈ（ＢＴ）送受信機６８、ワイヤレスユニバーサルシリアルバス（ＵＳＢ：ｕｎｉｖｅｒｓａｌ  ｓｅｒｉａｌ  ｂｕｓ）送受信機７０、および／または同様のものなどの他の短距離送受信機を備えてもよい。Ｂｌｕｅｔｏｏｔｈ送受信機６８は、低電力または超低電力Ｂｌｕｅｔｏｏｔｈ技術、例えばＷｉｂｒｅｅの無線標準に従って動作できてもよい。この関連で、装置４００、および特に短距離送受信機は、１０メートル以内など装置の近傍にある電子デバイスにデータを送信することおよび／またはそれからデータを受信することができてもよい。Ｗｉ−Ｆｉまたはワイヤレスローカルエリアネットワーキングモデムを備える装置４００は、６ＬｏＷｐａｎ、Ｗｉ−Ｆｉ、低電力Ｗｉ−Ｆｉ、ＩＥＥＥ８０２．１１技術、ＩＥＥＥ８０２．１５技術、ＩＥＥＥ８０２．１６技術、および／または同様のものなどのＷＬＡＮ技術を含む様々なワイヤレスネットワーキング技術による電子デバイスからデータを送信および／または受信することもできてもよい。
【００５５】
装置４００は、モバイルサブスクライバに関係する情報要素を記憶できる、サブスクライバアイデンティティモジュール（ＳＩＭ：ｓｕｂｓｃｒｉｂｅｒ  ｉｄｅｎｔｉｔｙ  ｍｏｄｕｌｅ）３８、リムーバブルユーザアイデンティティモジュール（Ｒ−ＵＩＭ：ｒｅｍｏｖａｂｌｅ  ｕｓｅｒ  ｉｄｅｎｔｉｔｙ  ｍｏｄｕｌｅ）、および／または同様のものなどのメモリを有してもよい。ＳＩＭに加えて、装置４００は、他の取り外し可能および／または固定メモリを備えてもよい。装置４００は、揮発性メモリ４０および／または不揮発性メモリ４２を備えてもよい。例えば揮発性メモリ４０は、ダイナミックおよび／またはスタティックＲＡＭ、オンチップまたはオフチップキャッシュメモリ、および／または同様のものを含むランダムアクセスメモリ（ＲＡＭ：Ｒａｎｄｏｍ  Ａｃｃｅｓｓ  Ｍｅｍｏｒｙ）を備えてもよい。不揮発性メモリ４２は、内蔵型および／または取り外し可能としてもよく、例えば読み取り専用メモリ、フラッシュメモリ、例としてハードディスクなどの磁気記憶デバイス、フロッピーディスクドライブ、磁気テープ、光ディスクドライブおよび／または媒体、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）、および／または同様のものを含んでもよい。揮発性メモリ４０のように、不揮発性メモリ４２は、データの一時記憶のためのキャッシュ領域を備えてもよい。揮発性および／または不揮発性メモリの少なくとも一部がプロセッサ２０に組み込まれてもよい。メモリは、プロセス２００、３００、および／または同様のものを実行するために装置によって使用され得る１つ以上のソフトウェアプログラム、命令、複数の情報、データ、および／または同様のものを記憶してもよい。メモリは、国際モバイル機器識別情報（ＩＭＥＩ：ｉｎｔｅｒｎａｔｉｏｎａｌ  ｍｏｂｉｌｅ  ｅｑｕｉｐｍｅｎｔ  ｉｄｅｎｔｉｆｉｃａｔｉｏｎ）コードなどの、装置４００を一意に識別できる識別子を有してもよい。ソフトウェアプログラムの機能には、例えば、ワイヤレスゲートウェイと通信端末との間の接続確立を可能にするために通信端末がワイヤレスゲートウェイの圏内にあるかどうかを判断することと、通信端末が圏内にあると判断されるとワイヤレスゲートウェイと通信端末との間に少なくとも１つの接続を確立することとを含む本願明細書に開示された動作のうちの１つ以上が含まれてもよい。例示の実施形態では、メモリ４０および／または４２に記憶されたコンピュータコードを使用して、プロセッサ２０は、プロセス２００、３００、および／または同様のものなどの動作を提供するように構成されてもよい。
【００５６】
本願明細書に開示された実施形態の一部は、ソフトウェア、ハードウェア、アプリケーションロジック、またはソフトウェア、ハードウェア、およびアプリケーションロジックの組み合わせにおいて実装されてもよい。ソフトウェア、アプリケーションロジック、および／またはハードウェアは、例えば、本願明細書に開示されたメモリ４０、制御装置２０、または電子コンポーネントに存在してもよい。いくつかの例示の実施形態では、アプリケーションロジック、ソフトウェア、または命令セットは、様々な従来のコンピュータ可読媒体のうちの任意のものにおいて維持される。本文書の文脈では、「コンピュータ可読媒体」は、コンピュータまたはデータプロセッサ回路構成などの命令実行システム、装置、またはデバイスによって、またはそれに関連して使用される命令を含むこと、記憶すること、伝達すること、伝播させること、または搬送することができる任意の非一時的媒体であってもよい。コンピュータ可読媒体は、コンピュータなどの命令実行システム、装置、またはデバイスによって、またはそれに関連して使用される命令を含むこと、または記憶することができる任意の媒体であってもよい、非一時的コンピュータ可読記憶媒体を有してもよい。さらに、本願明細書で開示された実施形態の一部は、本願明細書で開示されたような方法（例えばプロセス２００、３００などを参照）を生じさせるよう構成されたコンピュータプログラムを含む。
【００５７】
決して添付の請求項の範囲、解釈、または用途を限定するものではないが、本願明細書で開示された例示の実施形態１つ以上の技術的効果は、接続が実現可能であるときにいつでもゲートウェイと端末との間のワイヤレス接続を確立する方途である。決して添付の請求項の範囲、解釈、または用途を限定するものではないが、本願明細書で開示された例示の実施形態１つ以上の技術的効果は、十分な品質のワイヤレス接続を得られる可能性が最高のときにのみ接続（試行）が発生する場合の削減された電力消費である。添付の請求項の範囲、解釈、または用途を決して限定するものではないが、本願明細書で開示された例示の実施形態１つ以上の技術的効果は、スマートフォンおよび同様のものなどの他のデバイスと比べて削減された電力能力を有し得る、ＭＴＣデバイスの削減された電力消費である。
【００５８】
本願明細書に記載された主題は、所望の構成に応じて、システム、装置、方法、および／または物に具現化されてもよい。例えば、本願明細書に記載されたシステム、装置、方法、および／または物は、トランジスタ、インダクタ、コンデンサ、抵抗器、および同様のものなどの電子部品、プログラムコードを実行するプロセッサ、特定用途向け集積回路（ＡＳＩＣ）、デジタル信号プロセッサ（ＤＳＰ：ｄｉｇｉｔａｌ  ｓｉｇｎａｌ  ｐｒｏｃｅｓｓｏｒ）、組み込みプロセッサ、フィールドプログラマブルゲートアレイ（ＦＰＧＡ）、および／またはその組み合わせの１つ以上を使用して実装可能である。これら様々な例示の実施形態は、記憶システムからデータおよび命令を受信し、記憶システムにデータおよび命令を送信するよう結合された、専用または汎用とされ得る少なくとも１つのプログラマブルプロセッサと、少なくとも１つの入力デバイスと、少なくとも１つの出力デバイスとを含むプログラマブルシステム上で実行可能および／または解釈可能な、１つ以上のコンピュータプログラムにおける実装を含んでもよい。これらのコンピュータプログラム（プログラム、ソフトウェア、ソフトウェアアプリケーション、アプリケーション、コンポーネント、プログラムコード、またはコードとしても既知である）は、プログラマブルプロセッサのための機械命令を含み、高水準手続き型および／またはオブジェクト指向プログラミング言語で、および／またはアセンブリ言語／機械語で実装されてもよい。本願明細書で使用される「機械可読媒体」という用語は、機械命令を受信する機械可読媒体を含む、プログラマブルプロセッサに機械命令および／またはデータを提供するために使用される任意のコンピュータプログラム製品、コンピュータ可読媒体、コンピュータ可読記憶媒体、装置、および／またはデバイス（例えば、磁気ディスク、光ディスク、メモリ、プログラマブル論理デバイス（ＰＬＤ：Ｐｒｏｇｒａｍｍａｂｌｅ  Ｌｏｇｉｃ  Ｄｅｖｉｃｅ））を指す。同じく、プロセッサと、プロセッサに結合されたメモリとを備え得るシステムも本願明細書に記載される。メモリは、本願明細書に記載された動作のうちの１つ以上をプロセッサに実行させる１つ以上のプログラムを備えてもよい。
【００５９】
上記で少数の変形が詳細に記載されたが、他の修正または追加が可能である。特に、さらなる特徴および／または変形が、本願明細書に記載されたものに加えて提供されてもよい。さらに、上述された例示の実施形態は、開示された特徴の様々な組み合わせおよび一部組み合わせ、および／または上記で開示されたいくつかのさらなる特徴の組み合わせおよび一部組み合わせを対象とし得る。さらに、添付の図面に示されかつ／または本願明細書に記載された論理フローは、所望の結果を達成するために、示された特定の順序、または順番を要するものではない。他の実施形態が、添付の請求項の範囲内にあることもある。
【図１】
0006397576.tif 000002
【図２】
0006397576.tif 000003
【図３】
0006397576.tif 000004
【図４】
0006397576.tif 000005